(57)【要約】【課題】体温の測定中に被測定者等が電子体温計に触れることを抑制することによって、測定精度の低下を抑制することが可能な電子体温計を得る。【解決手段】被測定者の体温を測定する電子体温計１００は、上記体温を測定する感温部１１および感温部１１に一端が接続されたリード線１２を含むサーミスタ１０と、リード線１２の他端が接続された制御基板２０と、制御基板２０に接続され、サーミスタ１０によって測定された上記体温を表示する表示部３０と、制御基板２０に電力を供給する電源部４０と、長手方向に沿って可撓性を有し、サーミスタ１０、制御基板２０、表示部３０、および電源部４０を内部に配置するシート状部材５０と、を備え、上記電子体温計１００は、上記長手方向に沿って曲げ変形された状態およびねじれ変形された状態が保持される。【選択図】図１
2012150040.tif 000002
【特許請求の範囲】
【請求項１】
被測定者の体温を測定する電子体温計であって、
前記体温を測定する感温部、および、前記感温部に一端が接続されたリード線を含むサーミスタと、
前記リード線の他端が接続された制御基板と、
前記制御基板に接続され、前記サーミスタによって測定された前記体温を表示する表示部と、
前記制御基板に電力を供給する電源部と、
長手方向に沿って可撓性を有し、前記サーミスタ、前記制御基板、前記表示部、および前記電源部を内部に配置するシート状部材と、を備え、
前記電子体温計は、前記長手方向に沿って曲げ変形された状態およびねじれ変形された状態が保持される、
電子体温計。
【請求項２】
前記シート状部材によって、前記電子体温計の前記曲げ変形された状態および前記ねじれ変形された状態が保持される、
請求項１に記載の電子体温計。
【請求項３】
前記長手方向において前記サーミスタと前記表示部との間に形状保持部材が設けられ、
前記形状保持部材によって、前記電子体温計の前記曲げ変形された状態および前記ねじれ変形された状態が保持される、
請求項１または２に記載の電子体温計。
【請求項４】
前記形状保持部材の一部は、前記感温部の周囲を部分的に覆うように設けられる、
請求項３に記載の電子体温計。
【請求項５】
前記形状保持部材によって、前記電子体温計の前記曲げ変形された状態が保持され、
前記形状保持部材は、前記表示部の前記体温が表示される面側にのみ曲げ変形する、
請求項３または４に記載の電子体温計。
【請求項６】
前記シート状部材は、内部に中空空間を形成し、
前記リード線は、前記中空空間内において前記シート状部材の内表面に対して摺動自在に配置される、
請求項１から５のいずれかに記載の電子体温計。
【発明の詳細な説明】
【技術分野】
【０００１】
本発明は電子体温計に関する。
【背景技術】
【０００２】
体温計は、被測定者の体温を測定する。体温の測定時には、体温計の感温部が被測定部付近に配置された状態で、体温計が腋下または舌下等に挟持固定される。
【０００３】
一般的な水銀式の体温計は、体温の測定が完了したことを被測定者等（被測定者および医療従事者等）に知らせるための報知手段を備えていない。従来の水銀式の体温計を使用して体温を測定する場合、被測定者等は目盛りをたびたび凝視して、測定が完了したか否かを判別する必要があった。
【０００４】
一方、電子体温計の多くは、体温の測定が完了したことを被測定者等に知らせるための報知手段を備えている（特許文献１〜３参照）。電子体温計を使用して体温を測定する場合、被測定者等は、体温の測定が完了することを安静な状態で待機することができる。
【先行技術文献】
【特許文献】
【０００５】
【特許文献１】実開昭６１−７６３３４号公報
【特許文献２】特開昭６１−２４１６３１号公報
【特許文献３】特開平２−１３２３３３号公報
【発明の概要】
【発明が解決しようとする課題】
【０００６】
一般的な電子体温計を使用して体温を測定する場合、被測定者等は、体温の測定中に上昇しつつある測定値を確認するために、たびたび電子体温計に触れることがある。被測定者等は、体温の測定が完了したか否かを視覚的に確認するためにも、たびたび電子体温計に触れることがある。被測定者等が電子体温計に触れると、電子体温計の感温部と被測定部との接触状態に変化が生じ、当該変化によって測定結果に影響が生じてしまう可能性がある。
【０００７】
本発明は、体温の測定中に被測定者等が電子体温計に触れることを抑制することによって、測定精度の低下を抑制することが可能な電子体温計を提供することを目的とする。
【課題を解決するための手段】
【０００８】
本発明に基づく電子体温計は、被測定者の体温を測定する電子体温計であって、上記体温を測定する感温部、および、上記感温部に一端が接続されたリード線を含むサーミスタと、上記リード線の他端が接続された制御基板と、上記制御基板に接続され、上記サーミスタによって測定された上記体温を表示する表示部と、上記制御基板に電力を供給する電源部と、長手方向に沿って可撓性を有し、上記サーミスタ、上記制御基板、上記表示部、および上記電源部を内部に配置するシート状部材と、を備え、上記電子体温計は、上記長手方向に沿って曲げ変形された状態およびねじれ変形された状態が保持される。
【０００９】
好ましくは、上記シート状部材によって、上記電子体温計の上記曲げ変形された状態および上記ねじれ変形された状態が保持される。
【００１０】
好ましくは、上記長手方向において上記サーミスタと上記表示部との間に形状保持部材が設けられ、上記形状保持部材によって、上記電子体温計の上記曲げ変形された状態および上記ねじれ変形された状態が保持される。
【００１１】
好ましくは、上記形状保持部材の一部は、上記感温部の周囲を部分的に覆うように設けられる。
【００１２】
好ましくは、上記形状保持部材によって、上記電子体温計の上記曲げ変形された状態が保持され、上記形状保持部材は、上記表示部の上記体温が表示される面側にのみ曲げ変形する。
【００１３】
好ましくは、上記シート状部材は、内部に中空空間を形成し、上記リード線は、上記中空空間内において上記シート状部材の内表面に対して摺動自在に配置される。
【発明の効果】
【００１４】
本発明によれば、体温の測定中に被測定者等が電子体温計に触れることを抑制することによって、測定精度の低下を抑制することが可能な電子体温計を得ることができる。
【図面の簡単な説明】
【００１５】
【図１】実施の形態１における電子体温計の分解した状態を示す斜視図である。
【図２】実施の形態１における電子体温計の組み立てられた状態を示す平面図である。
【図３】実施の形態１における電子体温計の機能ブロックを示す図である。
【図４】実施の形態１における電子体温計の使用態様の一例を示す斜視図である。
【図５】実施の形態１における電子体温計の使用態様の他の一例を示す斜視図である。
【図６】実施の形態１の第１変形例における電子体温計を示す平面図である。
【図７】実施の形態１の第２変形例における電子体温計の形状保持部材を示す断面図（側面図）である。
【図８】実施の形態１の第３変形例における電子体温計を示す平面図である。
【図９】実施の形態１の第３変形例における電子体温計の他の形態を示す平面図である。
【図１０】実施の形態１の第４変形例における電子体温計を示す平面図である。
【図１１】図１０中のＸＩ−ＸＩ線に関する矢視断面図である。
【図１２】実施の形態１の第５変形例における電子体温計の分解した状態を示す斜視図である。
【図１３】実施の形態１の第５変形例における電子体温計の組み立てられた状態を示す断面図である。
【図１４】実施の形態２における電子体温計の分解した状態を示す斜視図である。
【図１５】実施の形態２における電子体温計の使用態様の一例を示す斜視図である。
【図１６】実施の形態２における電子体温計の他の形態の分解した状態を示す斜視図である。
【発明を実施するための形態】
【００１６】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成に示す構成を適宜組み合わせて用いることは、当初から予定されていることである。
【００１７】
［実施の形態１］
図１〜図３を参照して、本実施の形態における電子体温計１００の構成について説明する。図１は、電子体温計１００の分解した状態を示す斜視図である。図２は、電子体温計１００の組み立てられた状態を示す平面図である。図３は、電子体温計１００の機能ブロックを示す図である。
【００１８】
図１に示すように、電子体温計１００は、サーミスタ１０、制御基板２０、表示部３０、電源部４０、シート状部材５０、および形状保持部材７３，７４を備える。図２に示すように、電子体温計１００が組み立てられた状態においては、電子体温計１００の一端側（先端側）にプローブ部８２が形成される。
【００１９】
図１を再び参照して、サーミスタ１０は、いわゆるラジアルリード型であり、被測定者の体温を計測する感温部１１と、一端が感温部１１に接続されたリード線１２とを含む。リード線１２の他端は、制御基板２０に接続される。
【００２０】
制御基板２０は、所定の位置に、操作部（図３における操作部２１）、制御部（図３における制御部２２）、メモリ部（図３におけるメモリ部２３）、および報知部（図３における報知部２４）を有する。操作部は、制御基板２０の表面の所定の位置（制御基板２０の側面または裏面など、たとえば後述する実施の形態１の第４変形例における図１１参照）に、外部から押圧可能に配置される。
【００２１】
表示部３０は、配線６１によって制御基板２０に接続される。表示部３０は、たとえばＬＣＤ（Liquid Crystal Display）またはフレキシブル表示素子などの表示パネル３１を有する。表示パネル３１に、サーミスタ１０によって測定された被験者の体温などが表示される。
【００２２】
電源部４０は、ボタン電池４２および対向配置された電極端子４１を有する。対向配置された電極端子４１同士は、樹脂４３によって相互に位置決めされる。電極端子４１は、配線６２によって制御基板２０に接続される。ボタン電池４２は、電極端子４１間に配置され、電極端子４１および配線６２を通して、制御基板２０（および制御基板２０に接続された表示部３０）に電力を供給する。
【００２３】
電子体温計１００においては、電子体温計１００（シート状部材５０）の長手方向に沿って、サーミスタ１０、制御基板２０、表示部３０、および電源部４０がこの順に並んで配置される。この順序は適宜変更されてもよい。
【００２４】
シート状部材５０は、それぞれ同一形状に形成された第１シート状部材５１および第２シート状部材５２を有する。第１シート状部材５１および第２シート状部材５２は、たとえば、紙またはポリエチレンフィルムなどからなる基材層と、基材層の下面側に配置されたシーラント層と、基材層の上面側に配置されたＰＥＴ層（Polyethylene Terephthalate層）とが積層されることによってそれぞれ構成される。
【００２５】
第１シート状部材５１および第２シート状部材５２の厚さは、それぞれたとえば０．１ｍｍ〜０．３ｍｍであり、長手方向に沿って可撓性を有している。ＰＥＴ層の基材層側の面に、所定の銘板が貼付または印刷されることができる。第１シート状部材５１および第２シート状部材５２は、裁断などによって製造されることができる。第１シート状部材５１および第２シート状部材５２は、サーミスタ１０が配置される側（プローブ部８２を構成する側）に向かって徐々に幅が狭くなるように、平面視略Ｕ字形状に構成される。
【００２６】
第１シート状部材５１は、透明性を有する部材から構成されるとよい。第１シート状部材５１が透明性を有する部材から構成されない場合、第１シート状部材５１の一部には、表示部３０の表示パネル３１を外部から視認可能なように、透明性を有する保護部材が設けられるとよい。
【００２７】
形状保持部材７３，７４は、たとえば厚さが１ｍｍ〜５ｍｍの金属板または樹脂板などから構成される。形状保持部材７３，７４は、シート状部材５０の外縁の内側に沿うように略Ｊ字形状に形成される。形状保持部材７３，７４は線対称に構成され、サーミスタ１０、制御基板２０、表示部３０、および電源部４０の幅方向における両側にそれぞれ配置される。
【００２８】
形状保持部材７３，７４の湾曲する先端部には、形状保持部材７３，７４の一部として囲壁７３Ｔ，７４Ｔがそれぞれ立設される。なお、形状保持部材７３，７４と囲壁７３Ｔ，７４Ｔとは、それぞれ別体として設けられていてもよい。囲壁７３Ｔ，７４Ｔは、平面視において所定の径を有する仮想円に沿うように形成されるとよい。電子体温計１００が組み立てられた状態においては、感温部１１の周囲が、囲壁７３Ｔ，７４Ｔによって部分的に囲まれる（図２参照）。
【００２９】
電子体温計１００が組み立てられる際には、サーミスタ１０、制御基板２０、表示部３０、電源部４０、および形状保持部材７３，７４が、第２シート状部材５２上に配置される（図１参照）。
【００３０】
本実施の形態においては、サーミスタ１０が、第２シート状部材５２の長手方向における一端側（図２紙面左側）に配置される。表示部３０が、第２シート状部材５２の長手方向における他端側（図２紙面右側）に配置される。形状保持部材７３，７４は、シート状部材５０の長手方向において、サーミスタ１０と表示部３０との間に設けられる。図２に示すように、形状保持部材７３，７４は、シート状部材５０の長手方向において、サーミスタ１０と表示部３０との間の領域を跨ぐように配置されてもよい。
【００３１】
この状態で、第１シート状部材５１の周縁と第２シート状部材５２の周縁とが相互に接合される。当該接合によって、第１シート状部材５１および第２シート状部材５２の外縁に環状の接合領域５４が形成され、サーミスタ１０、制御基板２０、表示部３０、電源部４０、および形状保持部材７３，７４が略気密状に封止された中空空間５３（図２参照）が形成される。
【００３２】
リード線１２は、中空空間５３内に配置された状態においてシート状部材５０（第１シート状部材５１および第２シート状部材５２）の内表面に対して摺動自在であるとよい。なお、形状保持部材７３，７４は、中空空間５３内に設けられずに、シート状部材５０の外表面に沿って外部に露出するように設けられてもよい。
【００３３】
第１シート状部材５１と第２シート状部材５２とを相互に接合するためには、第１シート状部材５１の周縁と第２シート状部材５２の周縁とが一致するように対向配置される。この状態で、第１シート状部材５１および第２シート状部材５２の接触部（接合領域５４に対応する部分）に超音波が付与される。付与された超音波により、第１シート状部材５１および第２シート状部材５２の周縁（シーラント層など）が一時的に溶解する。当該溶解によって、第１シート状部材５１および第２シート状部材５２の周縁同士が、接合領域５４において溶着（圧着）される。なお、第１シート状部材５１および第２シート状部材５２の周縁同士は、熱溶着または接着剤などによって接合されてもよい。
【００３４】
図３を参照して、上述したように、電子体温計１００は、感温部１１、操作部２１、制御部２２、メモリ部２３、報知部２４、表示部３０、および電源部４０を、機能ブロックとして含む。操作部２１、制御部２２、メモリ部２３、および報知部２４は、制御基板２０に設けられる。
【００３５】
感温部１１は、腋下や舌下などの被測定部位に挟み込まれることで被測定者の体温を検出する。操作部２１は、たとえば押し釦から構成され、被測定者（または電子体温計１００の使用者）による操作を受け付けて、この外部からの命令を制御部２２または電源部４０に入力する。制御部２２は、たとえばＣＰＵ（Central Processing Unit）から構成され、電子体温計１００の全体を制御する。
【００３６】
メモリ部２３は、たとえばＲＯＭ（Read-Only Memory）またはＲＡＭ（Random-Access Memory）から構成され、体温測定のための処理手順を制御部２２などに実行させるためのプログラムを記憶したり、測定結果などを記憶したりする。報知部２４は、たとえばブザーから構成され、測定が終了したことや被測定者の操作を受け付けたことなどを被測定者に知らせる。報知部２４は、必要に応じて設けられるとよい。
【００３７】
表示部３０は、たとえばＬＣＤ（Liquid Crystal Display）またはフレキシブル表示素子などの表示パネル３１（図１参照）を含み、測定結果などを表示する。電源部４０は、たとえばボタン電池４２（図１参照）を含み、制御部２２（制御基板２０）および表示部３０等に電源としての電力を供給する。
【００３８】
制御部２２は、体温測定を実行するための処理回路を含んでおり、メモリ部２３から読み出されたプログラムに基づいて体温を測定する。その際、制御部２２は、感温部１１から入力された温度データを処理することで測定結果としての体温を算出する。制御部２２は、算出した体温を表示部３０に表示させたり、算出した体温をメモリ部２３に記憶させたり、測定が終了したことを、報知部２４を用いて被測定者に知らせたりするように、電子体温計１００を制御する。
【００３９】
（作用・効果）
電子体温計１００のシート状部材５０は、各シート状部材５１，５２から簡素に構成される。各シート状部材５１，５２は、ＰＥＴ等から構成される極めて薄い部材である。各シート状部材５１，５２は、その厚さが薄く且つ裁断などによって製造されるため、安価に準備されることができる。電子体温計１００によれば、筐体の全部が成形樹脂から構成される一般的ないわゆるペンシル型の電子体温計に比べて、製造費用を低減することができる。
【００４０】
電子体温計１００が安価に製造されるため、電子体温計１００は、いわゆるディスポーザブルタイプとして使用されるのに適している。ディスポーザブルタイプであれば、たとえば医療現場などにおいて、電子体温計１００が使用される毎（若しくは所定の使用回数毎に）に廃棄される。電子体温計１００によれば、廃棄毎に発生する使用者側または被測定者側の費用負担も軽減することが可能である。
【００４１】
電子体温計１００においては、第２シート状部材５２に対してサーミスタ１０、制御基板２０、表示部３０、電源部４０、および形状保持部材７３，７４が一方向（図１中の矢印参照）に配置可能となっている。サーミスタ１０、制御基板２０、表示部３０、電源部４０、および形状保持部材７３，７４は、第２シート状部材５２に対して一方向に容易に組み付けられることができる。電子体温計１００によれば、組み付け作業の自動化を図ることも可能となり、さらなる製造費用の低減が可能となる。
【００４２】
電子体温計１００においては、形状保持部材７３，７４の湾曲する先端に、囲壁７３Ｔ，７４Ｔが感温部１１を囲うように設けられる。囲壁７３Ｔ，７４Ｔによって、プローブ部８２がたとえば被測定者の口内に挿入された際に、感温部１１と歯との接触が抑制される。感温部１１が誤って破損されてしまうことが抑制されている。なお、囲壁７３Ｔ，７４Ｔは必要に応じて設けられるとよい。
【００４３】
上述のとおり、リード線１２は、中空空間５３内に配置された状態において、シート状部材５０の内表面に対して（接着などによって固定されずに）摺動自在であるとよい。この場合、電子体温計１００が繰り返し曲げまたはねじれ変形されたとしても、リード線１２の長寿命化が図れる。
【００４４】
図４を参照して、上述のとおり、電子体温計１００においては、シート状部材５０が可撓性を有している。電子体温計１００が体温測定に供される際に、電子体温計１００は長手方向に沿って弧を描くように曲げ変形されることができる（矢印ＡＲ１参照）。形状保持部材７３，７４（図１または図２参照）によって、電子体温計１００の曲げ変形された状態が保持される。
【００４５】
なお、電子体温計１００の曲げ変形された状態を保持可能であれば、形状保持部材７３，７４はいずれか一方のみが設けられていてもよい。さらに、シート状部材５０が所定の剛性を有する材質からなり、電子体温計１００の曲げ変形された状態をシート状部材５０そのものが保持可能の場合には、形状保持部材７３，７４は設けられなくてもよい。
【００４６】
電子体温計１００がたとえば舌下に挿入された状態において、被測定者等は、表示パネル３１が視界に入るように電子体温計１００を曲げ変形させる。電子体温計１００の曲げ変形した状態が形状保持部材７３，７４（またはシート状部材５０）によって保持されるため、被測定者等は体温の測定中に上昇しつつある測定値を確認するために、たびたび電子体温計１００に触れる必要がない。被測定者等は、体温の測定が完了したか否かを視覚的に確認する際にも、電子体温計１００に触れる必要がない。
【００４７】
また、図４に示すように、電子体温計１００が舌下に挿入された状態において、被測定者の目線と表示パネル３１内に表示される文字列（測定温度など）とが平行になるように構成されているとよい。被測定者は、表示パネル３１内に表示される文字列を容易に読むことが可能となる。
【００４８】
また、図５に示すように、電子体温計１００は、シート状部材５０が可撓性を有していることによって、ねじれ変形（矢印ＡＲ２参照）されることもできる。形状保持部材７３，７４（図１または図２参照）によって、電子体温計１００のねじれ変形された状態は保持される。
【００４９】
電子体温計１００がたとえば腋下に挿入された状態において、被測定者等は、表示パネル３１が視界に入るように電子体温計１００をねじれ変形させる。電子体温計１００のねじれ変形した状態が形状保持部材７３，７４（またはシート状部材５０）によって保持されるため、被測定者等は体温の測定中に上昇しつつある測定値を確認するために、たびたび電子体温計１００に触れる必要がない。被測定者等は、体温の測定が完了したか否かを視覚的に確認する際にも、電子体温計１００に触れる必要がない。
【００５０】
したがって、電子体温計１００によれば、被測定者等が体温の測定中に電子体温計１００に触れる必要がないため、電子体温計１００の感温部１１と被測定部との接触状態（相対的な位置関係）に変化が生じることが抑制されている。電子体温計１００によれば、測定精度の低下を抑制することが可能となる。
【００５１】
特に、シート状部材５０が各シート状部材５１，５２から簡素に構成される。各シート状部材５１，５２は、ＰＥＴ等から構成される極めて薄い部材である。シート状部材５０の簡素さが原因となって、被測定者は、表示パネル３１を見るためにシート状部材５０に頻繁に触れようとすることが考えられる。しかしながら、形状保持部材７３，７４の配設によって、電子体温計１００の曲げ変形が確実に保持されるため、被測定者によってシート状部材５０が触れられることは抑制されることができる。
【００５２】
被測定者が表示パネル３１を測定中に常時視認することが可能となるため、電子体温計１００においては、ブザーなどの報知部２４を設けないようにすることも可能である。この場合、電子体温計１００はより一層安価に製造されることができる。
【００５３】
なお、冒頭に説明した特許文献１（実開昭６１−７６３３４号公報）に開示された発明においては、電子体温計の一部（プローブ部）が、可撓性を有する柔軟な部材から構成される。特許文献１は、プローブ部を口中に入れた状態で、プローブ部を屈曲変形させることによって温度表示部を傾けて視認しやすい角度にすることができると述べている。
【００５４】
しかしながら、特許文献１に開示された発明によれば、プローブ部が可撓性を有する柔軟な部材から構成されるため、プローブ部の屈曲変形した状態は保持されることができない。特許文献１に開示された発明では、体温の測定中に上昇しつつある測定値を確認する際、または、体温の測定が完了したことを視覚的に確認する際には、たびたび電子体温計に触れる必要がある。
【００５５】
［実施の形態１の変形例］
（第１変形例）
図６に示す電子体温計１０１においては、たとえば樹脂製の薄板平板状に形成された基台７５上に、制御基板２０、表示部３０、および電源部４０が固定配置される。基台７５の先端側に、形状保持部材７３，７４が基台７５と一体的に形成される。表示部３０と感温部１１との間の長手方向にわたって、形状保持部材７３，７４が設けられる。当該構成によっても、上述の実施の形態１と同様の作用および効果を得ることができる。
【００５６】
また、電子体温計１０１を曲げ変形させるために電子体温計１０１に外力が作用した際に、配線６１，６２が制御基板２０、表示部３０、または電源部４０から外れてしまうことも抑制される。
【００５７】
（第２変形例）
図７は、形状保持部材７３，７４を示す断面図（側面図）である。図７に示すように、形状保持部材７３，７４には、厚さ方向（紙面上下方向）に沿って複数の切り込み７６が設けられていてもよい。当該構成によれば、形状保持部材７３，７４は、矢印ＡＲ３に示す方向（すなわち切り込み７６が開く方向）に積極的に曲げ変形可能となり、矢印ＡＲ３とは反対の方向には曲がりにくくなる。
【００５８】
図示上の便宜のため、切り込み７６の開口を広く記載しているが、切り込み７６の開口はできるだけ狭い方がよい。形状保持部材７３，７４を構成する部材の剛性を高め、切り込み７６の開口を狭める（実質的にゼロにする）ことによって、形状保持部材７３，７４を矢印ＡＲ３方向にのみ曲げ変形可能にすることもできる。この場合において、形状保持部材７３，７４は、表示部３０の体温が表示される面側（表示パネル３１側）に曲げ変形可能に構成するとよい。
【００５９】
当該構成によれば、体温測定の際において、形状保持部材７３，７４の曲げ変形の方向性が一方向に制限され、その反対方向への曲げ変形が抑制（または防止）される。形状保持部材７３，７４が繰り返し曲げ変形されることによる疲労（たとえば金属疲労）が軽減される。形状保持部材７３，７４における長寿命化を図ることが可能となる。
【００６０】
（第３変形例）
図８に示す電子体温計１０２のように、シート状部材５０は平面視略Ｔ字状に形成されてもよい。また、図９に示す電子体温計１０３のように、シート状部材５０は平面視略Ｌ字状に形成されてもよい。当該構成によっても、上述の実施の形態１と同様の作用および効果を得ることができる。また、電子体温計１０２，１０３によれば、表示部３０の配置可能な領域が拡大するため、表示パネル３１の大きさを大きくすることもできる。
【００６１】
（第４変形例）
図１０は、実施の形態１の第４変形例における電子体温計１０４を示す平面図である。図１１は、図１０中のＸＩ−ＸＩ線に関する矢視断面図である。
【００６２】
図１０および図１１に示す電子体温計１０４のように、感温部１１は、シート状部材５０の外部に設けられていてもよい。この場合、感温部１１は、ステンレスまたはアルミニウムなどからなる袋状部材５５の内部に収容される。図１１に示すように、袋状部材５５は、接合領域５４における超音波溶着によってシート状部材５０と一体化され、シート状部材５０の内部の中空空間５３に連通している。当該構成によって、感温部１１回りの熱伝導性が向上し、被測定者は体温を精度高く正確に測定することが可能となる。
【００６３】
（第５変形例）
図１２は、実施の形態１の第５変形例における電子体温計１０５の分解した状態を示す斜視図である。図１３は、電子体温計１０５の組み立てられた状態を示す断面図である。
【００６４】
図１２および図１３に示す電子体温計１０５においては、シート状部材５０Ａが袋状に形成される。シート状部材５０Ａは、開口部５０Ｈを有する。電子体温計１０５が組み立てられる際には、開口部５０Ｈから、サーミスタ１０、制御基板２０、表示部３０、電源部４０、および形状保持部材７３，７４が挿入される。図１２においては、形状保持部材７３，７４が便宜上実線で図示されているが、本変形例における形状保持部材７３，７４はシート状部材５０Ａの内部に配置される。なお、形状保持部材７３，７４はシート状部材５０Ａの外部に配置されてもよい。
【００６５】
図１３を参照して、電子体温計１０５が組み立てられた状態においては、開口部５０Ｈは超音波溶着などによって閉塞され、接合領域５４が形成される。電子体温計１０５（シート状部材５０Ａ）の表面が平滑に構成されるため、電子体温計１０５をエタノールなどを使用して洗浄消毒する際における衛生面が一層向上する。
【００６６】
電源部４０においては、超音波溶着用リブを有する電池ケースに、ボタン電池４２が収容されるように構成されてもよい。この電池ケースは、たとえばＡＢＳ樹脂から構成される。電池ケースに設けられた超音波溶着用リブを活用して開口部５０Ｈが溶着されることによって、開口部５０Ｈにおける封止性および接合強度が向上する。
【００６７】
なお、袋状から構成されるシート状部材５０Ａについては、電子体温計１０５の曲げおよびねじれ変形状態が保持可能という技術的思想からは独立した発明としても成立し得るものである。袋状から構成されるシート状部材５０Ａが電子体温計に採用されることによって、洗浄消毒後における衛生面の向上といった課題が解決し得るものである。
【００６８】
［実施の形態２］
図１４を参照して、本実施の形態における電子体温計１０６について説明する。図１４は、電子体温計１０６の分解した状態を示す斜視図である。
【００６９】
電子体温計１０６においては、可撓性を有する第１シート状部材５１Ｂおよび可撓性を有する第２シート状部材５２Ｂからなるシート状部材５０Ｂが用いられる。電子体温計１０６においては、サーミスタ１０、制御基板２０、表示部３０、および電源部４０がこの順に並んで配置される。
【００７０】
第１シート状部材５１Ｂは、たとえば、紙またはポリエチレンフィルムなどからなる基材層と、基材層の下面側に配置されたシーラント層と、基材層の上面側に配置されたＰＥＴ層（Polyethylene Terephthalate層）とが積層されることによって構成される。
【００７１】
第１シート状部材５１Ｂの厚さは、たとえば０．１ｍｍ〜０．３ｍｍである。ＰＥＴ層の基材層側の面に、所定の銘板が貼付または印刷されることができる。第１シート状部材５１Ｂは、裁断などによって製造されることができる。第１シート状部材５１Ｂは、サーミスタ１０が配置される側に向かって徐々に幅が狭くなるように略テーパー状に構成される。
【００７２】
第１シート状部材５１Ｂには、表示パネル３１を外部から視認するための開口部５１Ｈが設けられる。開口部５１Ｈ内には、樹脂などから構成される透明保護部材５６が配置される。なお、第１シート状部材５１Ｂが透明性を有する場合、開口部５１Ｈおよび透明保護部材５６は不要である。表示パネル３１を外部から視認するための開口部５１Ｈは、次述する第２シート状部材５２Ｂに設けられてもよい。この場合、表示部３０の表示パネル３１は、第２シート状部材５２Ｂ側に向かって配置される（図１４とは表裏反対に示すように配置される）。
【００７３】
第２シート状部材５２Ｂは、たとえばＰＥＴ、ＰＶＣ（polyvinyl chloride）、ＰＥ（polyethylene）、またはＰＰ（polypropylene）等の熱可塑性を有する部材から、たとえば真空成型によって容器状に構成される。第２シート状部材５２Ｂの厚さは、たとえば０．５ｍｍ〜１．０ｍｍである。
【００７４】
第２シート状部材５２Ｂは、電子体温計１０６の長手方向に沿って延在する底面部５２Ｓ，５２Ｒ、底面部５２Ｓ，５２Ｒの周縁から起立する環状壁部５２Ｕ、および、環状壁部５２Ｕの起立方向の先端に設けられた上端部５２Ｋを有する。上端部５２Ｋは、フランジ状に形成されてもよい。
【００７５】
底面部５２Ｓは、電子体温計１０６の一端側（先端側）に位置する。底面部５２Ｒは、底面部５２Ｓに連続し、電子体温計１０６の他端側（後端側）に位置する。電子体温計１０６が被測定者の腋下または舌下等に向かって挿入され易いように、底面部５２Ｓは底面部５２Ｒに比べて底浅に形成されている（底上げされている）。
【００７６】
底面部５２Ｓの略中央には、電子体温計１０６の長手方向に沿って長溝５２Ｔが設けられる。電子体温計１０６が組み立てられた状態においては、長溝５２Ｔに、サーミスタ１０（感温部１１およびリード線１２）が収容される。この場合、リード線１２は長溝５２Ｔの内周面に対して摺動自在であるとよい。なお、長溝５２Ｔは必要に応じて設けられるとよい。形状保持部材７３，７４は、長溝５２Ｔの両側にそれぞれ配置される。
【００７７】
底面部５２Ｒには、区画壁５２Ｍ，５２Ｎが立設される。区画壁５２Ｍと底面部５２Ｓの後端との間に、制御基板２０が配置される。区画壁５２Ｍと区画壁５２Ｎとの間に表示部３０が配置され、区画壁５２Ｎと環状壁部５２Ｕとに囲まれる領域に電源部４０が配置される。電子体温計１０６が組み立てられた状態において、制御基板２０、表示部３０および電源部４０の位置ずれは抑制される。
【００７８】
第２シート状部材５２Ｂにおける環状壁部５２Ｕおよび上端部５２Ｋは、第２シート状部材５２Ｂに対してサーミスタ１０、制御基板２０、表示部３０、電源部４０、および形状保持部材７３，７４が一方向（図１４中の矢印参照）に収容可能なように、これらが収容される側に向かって開口を形成している。
【００７９】
電子体温計１０６が組み立てられる際には、サーミスタ１０、制御基板２０、表示部３０、電源部４０、および形状保持部材７３，７４が第２シート状部材５２Ｂ内に配置される。その状態で、第１シート状部材５１が第２シート状部材５２Ｂの上端部５２Ｋに接合される。当該接合によって、サーミスタ１０、制御基板２０、表示部３０、および電源部４０が略気密状に封止された中空空間が形成される。
【００８０】
第１シート状部材５１Ｂと上端部５２Ｋとを相互に接合するためには、第１シート状部材５１Ｂと第２シート状部材５２Ｂの上端部５２Ｋとが対向するように配置される。この状態で、第１シート状部材５１と上端部５２Ｋとの接触部に超音波が付与される。付与された超音波により、第１シート状部材５１Ｂ（シーラント層など）が一時的に溶解する。当該溶解によって、第１シート状部材５１Ｂが第２シート状部材５２Ｂの上端部５２Ｋに溶着（圧着）される。
【００８１】
（作用・効果）
電子体温計１０６のシート状部材５０Ｂは、第１シート状部材５１Ｂおよび第２シート状部材５２Ｂから簡素に構成される。第１シート状部材５１Ｂは、ＰＥＴ等から構成される極めて薄い部材である。第１シート状部材５１Ｂは、その厚さが薄く且つ裁断などによって製造されるため、安価に準備されることができる。第２シート状部材５２Ｂも、ＰＥＴ等から真空成形などによって構成される極めて薄い部材であるため、安価に準備されることができる。電子体温計１０６によれば、筐体の全部が成形樹脂から構成される一般的ないわゆるペンシル型の電子体温計に比べて、製造費用を低減することができる。
【００８２】
電子体温計１０６が安価に製造されるため、電子体温計１０６は、いわゆるディスポーザブルタイプとして使用されるのに適している。ディスポーザブルタイプであれば、たとえば医療現場などにおいて、電子体温計１０６が使用される毎（若しくは所定の使用回数毎に）に廃棄される。電子体温計１０６によれば、廃棄毎に発生する使用者側または被測定者側の費用負担も軽減することが可能である。
【００８３】
電子体温計１０６においては、第２シート状部材５２Ｂにおける環状壁部５２Ｕおよび上端部５２Ｋが、第２シート状部材５２Ｂに対してサーミスタ１０、制御基板２０、表示部３０、電源部４０、および形状保持部材７３，７４が一方向（図１４中の矢印参照）に収容可能なように、これらが収容される側に向かって開口を形成している。当該開口に対して、サーミスタ１０、制御基板２０、表示部３０、電源部４０、および形状保持部材７３，７４は一方向に容易に組み付けられることができる。電子体温計１０６によれば、組み付け作業の自動化を図ることも可能となり、さらなる製造費用の低減が可能となる。
【００８４】
図１５に示すように、電子体温計１０６においては、シート状部材５０Ｂが可撓性を有している。電子体温計１０６が体温測定に供される際に、電子体温計１０６は長手方向に沿って弧を描くように曲げ変形されることができる（矢印ＡＲ４参照）。また、電子体温計１０６が体温測定に供される際に、電子体温計１０６はねじれ変形されることもできる。形状保持部材７３，７４（図１４参照）によって、電子体温計１０６の曲げおよびねじれ変形された状態が保持される。
【００８５】
なお、電子体温計１０６の曲げおよびねじれ変形された状態を保持可能であれば、形状保持部材７３，７４はいずれか一方のみが設けられていてもよい。さらに、図１６に示す電子体温計１０７ように、シート状部材５０Ｂが所定の剛性を有する材質からなり、電子体温計１０７の曲げおよびねじれ変形された状態をシート状部材５０Ｂそのものが保持可能の場合には、形状保持部材７３，７４は設けられなくてもよい。
【００８６】
電子体温計１０６，１０７が被測定部に配置された状態において、被測定者等は、表示パネル３１が視界に入るように電子体温計１０６，１０７を曲げ変形させる。電子体温計１０６，１０７の曲げ変形した状態が形状保持部材７３，７４によって保持されるため、被測定者等は体温の測定中に上昇しつつある測定値を確認するために、たびたび電子体温計１０６，１０７に触れる必要がない。被測定者等は、体温の測定が完了したか否かを視覚的に確認する際にも、電子体温計１０６，１０７に触れる必要がない。
【００８７】
また、電子体温計１０６，１０７が舌下に挿入された状態において、被測定者の目線と表示パネル３１内に表示される文字列（測定温度など）とが平行になるように構成されているとよい。被測定者は、表示パネル３１内に表示される文字列を容易に読むことが可能となる。
【００８８】
したがって、電子体温計１０６，１０７によれば、被測定者等が体温の測定中に電子体温計１０６，１０７に触れる必要がないため、電子体温計１０６，１０７の感温部１１と被測定部との接触状態（相対的な位置関係）に変化が生じることが抑制されている。電子体温計１０６，１０７によれば、測定精度の低下を抑制することが可能となる。
【００８９】
被測定者が表示パネル３１を測定中に常時視認することが可能となるため、電子体温計１０６，１０７においては、ブザーなどの報知部２４を設けないようにすることも可能である。この場合、電子体温計１０６，１０７はより一層安価に製造されることができる。
【００９０】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００９１】
１０  サーミスタ、１１  感温部、１２  リード線、２０  制御基板、２１  操作部、２２  制御部、２３  メモリ部、２４  報知部、３０  表示部、３１  表示パネル、４０  電源部、４１  電極端子、４２  ボタン電池、４３  樹脂、５０，５０Ａ，５０Ｂ  シート状部材、５０Ｈ，５１Ｈ  開口部、５１，５１Ｂ  第１シート状部材、５２，５２Ｂ  第２シート状部材、５２Ｋ  上端面、５２Ｍ，５２Ｎ  区画壁、５２Ｒ，５２Ｓ  底面部、５２Ｔ  長溝、５２Ｕ  環状壁部、５３  中空空間、５４  接合領域、５５  袋状部材、５６  透明保護部材、６１，６２  配線、７３，７４  形状保持部材、７３Ｔ，７４Ｔ  囲壁、７５  基台、８２  プローブ部、１００〜１０７  電子体温計、ＡＲ１〜ＡＲ４  矢印。
【図１】
2012150040.tif 000003
【図２】
2012150040.tif 000004
【図３】
2012150040.tif 000005
【図４】
2012150040.tif 000006
【図５】
2012150040.tif 000007
【図６】
2012150040.tif 000008
【図７】
2012150040.tif 000009
【図８】
2012150040.tif 000010
【図９】
2012150040.tif 000011
【図１０】
2012150040.tif 000012
【図１１】
2012150040.tif 000013
【図１２】
2012150040.tif 000014
【図１３】
2012150040.tif 000015
【図１４】
2012150040.tif 000016
【図１５】
2012150040.tif 000017
【図１６】
2012150040.tif 000018